(57)【要約】      （修正有）【課題】放射線画像撮影装置の撮影台への装着を安定的に検出する。【解決手段】放射線画像の撮影を行う放射線画像撮影装置と、放射線画像撮影装置を保持する撮影台と、放射線画像撮影装置の撮影による画像データを取得する外部処理装置とを備え、放射線画像撮影装置は、撮影台への装着を検出する装着検出部２２５と、外部処理装置との無線通信を行う第一の無線通信部２９２と、第一の無線通信部よりも近距離の無線通信を行う第二の無線通信部２９３とを備え、放射線画像撮影装置は、装着検出部により撮影台への装着が検出された後に第二の無線通信部への電源供給を開始する。【選択図】図６
2017225592.tif 000002
【特許請求の範囲】
【請求項１】
放射線画像の撮影を行う放射線画像撮影装置と、
前記放射線画像撮影装置を保持する撮影台と、
前記放射線画像撮影装置の撮影による画像データを取得する外部処理装置とを備え、
前記放射線画像撮影装置は、
前記撮影台への装着を検出する装着検出部と、
前記外部処理装置との無線通信を行う第一の無線通信部と、
前記第一の無線通信部よりも近距離の無線通信を行う第二の無線通信部とを備え、
前記放射線画像撮影装置は、
前記装着検出部により前記撮影台への装着が検出された後に前記第二の無線通信部への電源供給を開始することを特徴とする放射線画像撮影システム。
【請求項２】
前記放射線画像撮影装置は、
前記第二の無線通信部により前記撮影台に設けられた通信端末と無線通信を行い、当該通信端末から前記撮影台に記憶された情報を取得することを特徴とする請求項１記載の放射線画像撮影システム。
【請求項３】
前記放射線画像撮影装置は、
前記撮影台に記憶された情報として前記第一の無線通信部による無線通信を確立するための通信情報を取得することを特徴とする請求項２記載の放射線画像撮影システム。
【請求項４】
前記放射線画像撮影装置は、
前記撮影台に記憶された情報として前記撮影台に関する情報を取得することを特徴とする請求項２又は３記載の放射線画像撮影システム。
【請求項５】
前記放射線画像撮影装置は、
前記装着検出部により前記撮影台への装着が検出された後に前記第一の無線通信部への電源供給を開始することを特徴とする請求項１から４のいずれか一項に記載の放射線画像撮影システム。
【請求項６】
前記放射線画像撮影装置は、
前記装着検出部により前記放射線画像撮影装置の前記撮影台への装着が検出された状態で、
前記第二の無線通信部が前記撮影台に設けられた通信端末との間で無線通信ができなかった場合に、
前記装着検出部による前記放射線画像撮影装置の前記撮影台への装着の検出を再度実行することを特徴とする請求項１から５のいずれか一項に記載の放射線画像撮影システム。
【請求項７】
前記装着検出部は、加速度センサーであることを特徴とする請求項１から６のいずれか一項に記載の放射線画像撮影システム。
【請求項８】
前記装着検出部は、ホール素子であることを特徴とする請求項１から６のいずれか一項に記載の放射線画像撮影システム。
【発明の詳細な説明】
【技術分野】
【０００１】
本発明は、放射線画像撮影システムに関する。
【背景技術】
【０００２】
放射線発生装置からＸ線等の放射線を照射し、被写体を透過した放射線を放射線画像撮影装置（Flat Panel Detector）で信号値として読み出してコンソール等に転送し、転送されてきた信号値に基づいてコンソール等で放射線画像を生成する放射線画像撮影システムの開発が進んでいる。
ところで、このような放射線画像撮影システムでは、一般に、放射線画像撮影装置を保持する撮影台により、放射線画像撮影装置が放射線発生装置に向けた状態に保持されて撮影が行われている。
上記撮影台には、放射線画像撮影装置の装着を検出するマイクロスイッチが設けられており、撮影台に放射線画像撮影装置が装着されたことがコンソール等の外部装置に通知される。
そして、撮影台への放射線画像撮影装置の装着の通知により、放射線画像撮影装置が撮影可能な状態であることが外部に認識されていた（例えば、特許文献１参照）。
【先行技術文献】
【特許文献】
【０００３】
【特許文献１】特開２０１３−６６７３４号公報
【発明の概要】
【発明が解決しようとする課題】
【０００４】
しかしながら、特許文献１に記載されている撮影台のように、放射線画像撮影装置の装着をマイクロスイッチで検出する構成の場合、外部に信号を送る配線が必須となり、配線設置のコストの上昇が生じ、また、配線によって撮影台の移動や自由な配置が制限されるという問題があった。
また、撮影台にマイクロスイッチを設ける構造の場合、マイクロスイッチは検出端子が可動する構造のため、繰り返される動作によって破損や摩耗による故障が生じ易いという問題も生じていた。
【０００５】
本発明は、上記の問題点を鑑みてなされたものであり、放射線画像撮影装置の撮影台への装着を安定的に検出することができる放射線画像撮影システムを提供することを目的とする。
【課題を解決するための手段】
【０００６】
請求項１記載の発明は、放射線画像撮影システムにおいて、
放射線画像の撮影を行う放射線画像撮影装置と、
前記放射線画像撮影装置を保持する撮影台と、
前記放射線画像撮影装置の撮影による画像データを取得する外部処理装置とを備え、
前記放射線画像撮影装置は、
前記撮影台への装着を検出する装着検出部と、
前記外部処理装置との無線通信を行う第一の無線通信部と、
前記第一の無線通信部よりも近距離の無線通信を行う第二の無線通信部を備え、
前記放射線画像撮影装置は、
前記装着検出部により前記撮影台への装着が検出された後に前記第二の無線通信部への電源供給を開始することを特徴とする。
【０００７】
請求項２記載の発明は、請求項１記載の放射線画像撮影システムにおいて、
前記放射線画像撮影装置は、
前記第二の無線通信部により前記撮影台に設けられた通信端末と無線通信を行い、当該通信端末から前記撮影台に記憶された情報を取得することを特徴とする。
【０００８】
請求項３記載の発明は、請求項２記載の放射線画像撮影システムにおいて、
前記放射線画像撮影装置は、
前記撮影台に記憶された情報として前記第一の無線通信部による無線通信を確立するための通信情報を取得することを特徴とする。
【０００９】
請求項４記載の発明は、請求項２又は３記載の放射線画像撮影システムにおいて、
前記放射線画像撮影装置は、
前記撮影台に記憶された情報として前記撮影台に関する情報を取得することを特徴とする。
【００１０】
請求項５記載の発明は、請求項１から４のいずれか一項に記載の放射線画像撮影システムにおいて、
前記放射線画像撮影装置は、
前記装着検出部により前記撮影台への装着が検出された後に前記第一の無線通信部への電源供給を開始することを特徴とする。
【００１１】
請求項６記載の発明は、請求項１から５のいずれか一項に記載の放射線画像撮影システムにおいて、
前記放射線画像撮影装置は、
前記装着検出部により前記放射線画像撮影装置の前記撮影台への装着が検出された状態で、
前記第二の無線通信部が前記撮影台に設けられた通信端末との間で無線通信ができなかった場合に、
前記装着検出部による前記放射線画像撮影装置の前記撮影台への装着の検出を再度実行することを特徴とする。
【００１２】
請求項７記載の発明は、請求項１から６のいずれか一項に記載の放射線画像撮影システムにおいて、
前記装着検出部は、加速度センサーであることを特徴とする。
【００１３】
請求項８記載の発明は、請求項１から６のいずれか一項に記載の放射線画像撮影システムにおいて、
前記装着検出部は、ホール素子であることを特徴とする。
【発明の効果】
【００１４】
本発明のような方式の放射線画像撮影システムによれば、放射線画像撮影装置の撮影台への装着を安定的に検出することが可能となる。
また、放射線画像撮影装置が第一の無線通信部を備えるので、放射線画像撮影装置の撮影台への装着を無線で通知することができ、撮影台に配線を設ける必要がなく、撮影台の設置コストの低減を図ると共に、より自由に撮影台の移動や配置を行うことが可能となる。
【図面の簡単な説明】
【００１５】
【図１】本実施形態に係る放射線画像撮影システムの構成例を表す図である。
【図２】放射線画像撮影システムの撮影台の斜視図である。
【図３】撮影台に装備された通信端末のブロック図である。
【図４】放射線画像撮影システムに用いられる放射線画像撮影装置の外観を示す斜視図である。
【図５】放射線画像撮影装置の等価回路を表すブロック図である。
【図６】放射線画像撮影装置の制御手段を表すブロック図である。
【図７】放射線画像撮影装置の制御手段により実行される無線通信の確立制御のフローチャートである。
【図８】放射線画像撮影システムの他の例に使用される放射線画像撮影装置の画像処理装置の構成を示すブロック図である。
【発明を実施するための形態】
【００１６】
以下、本発明に係る放射線画像撮影システムの実施の形態について、図面を参照して説明する。
【００１７】
［放射線画像撮影システム］
放射線画像撮影装置１を組み込んだ放射線画像撮影システムについて言及する。図１は、本実施形態に係る放射線画像撮影システムの全体構成を示す図である。放射線画像撮影システム１００は、例えば、放射線を照射して患者の一部である被写体の撮影を行う撮影室Ｒ１，Ｒ２と、放射線技師等の操作者が被写体への放射線の照射等の操作を行う前室Ｒ３とに配置される。
【００１８】
本実施形態では、撮影室Ｒ１，Ｒ２には、可搬型放射線画像撮影装置１（以下、放射線画像撮影装置１という）を装着可能な撮影台５１や、被写体に照射する放射線を発生させる図示しないＸ線管球を備える放射線発生装置５２、放射線画像撮影装置１と他の装置とが無線通信する際にこれらの通信を中継する無線アンテナ５３を備えた無線ＬＡＮ（Local Area Network）用のアクセスポイント（基地局）５４等が設けられている。
【００１９】
また、アクセスポイント５４には、放射線発生装置５２のジェネレーター５５やコンソールＣ等も接続されており、アクセスポイント５４は、放射線画像撮影装置１やコンソールＣ、放射線発生装置５２のジェネレーター５５等との間の通信を中継するようになっている。
撮影台５１は、放射線画像撮影装置１を垂直に立設させた状態で保持する立位の患者撮影用の撮影台５１Ａ、放射線画像撮影装置１を水平にした状態で保持する臥位の患者撮影用の撮影台５１Ｂ等がある。
撮影室Ｒ１には、立位の患者撮影用の撮影台５１Ａと臥位の患者撮影用の撮影台５１Ｂの両方が用意されており、撮影室Ｒ２には、立位の患者撮影用の撮影台５１Ａのみが用意されている。
撮影室Ｒ１において、立位の患者撮影用の撮影台５１Ａは放射線発生装置５２の正面に配置されており、臥位の患者撮影用の撮影台５１Ｂは放射線発生装置５２の下方に配置されている。
また、撮影室Ｒ２において、立位の患者撮影用の撮影台５１Ａは放射線発生装置５２の正面に配置されている。
【００２０】
また、前室Ｒ３には、放射線発生装置５２の操作卓５７が設けられており、操作卓５７には、放射線技師等の操作者が操作してジェネレーター５５に対して放射線の照射開始等を指示するための曝射スイッチ５６が設けられている。また、前室Ｒ３には、コンピューター等で構成された二台のコンソールＣが設置されている。これらのコンソールＣは、ルーター５８を介して各撮影室Ｒ１，Ｒ２のアクセスポイント５４に接続されている。
なお、これらのコンソールＣを撮影室Ｒ１，Ｒ２や前室Ｒ３の外側や別室等に設けるように構成することも可能である。また、コンソールＣは一台であっても良いし、増設してもよい。
【００２１】
そして、コンソールＣには、ＣＲＴ（Cathode Ray Tube）やＬＣＤ（Liquid Crystal Display）等で構成される表示部Ｃａが設けられており、マウスやキーボード、タッチパネル等の入力手段Ｃｂが接続されている。また、コンソールＣには、ＨＤＤ（Hard Disk Drive）等で構成された記憶手段Ｃｍが接続され、或いは内蔵されている。
【００２２】
そして、放射線技師等の操作者が、図示しない被写体である患者と放射線画像撮影装置１との位置調整等を行った後、曝射スイッチ５６を操作することで、放射線発生装置５２から放射線が照射されて撮影が行われる。そして、撮影後、放射線画像撮影装置１から撮像により画像データＤがコンソールＣに転送される。
【００２３】
コンソールＣでは、放射線画像撮影システム１００で取得された画像データやダーク読取値等を用いて画像処理が行われ、放射線画像の生成等が行われるようになっている。
【００２４】
また、放射線画像撮影システム１００では、コンソールＣと、ＲＩＳ（Radiology Information System；放射線科情報システム）１０１と、コンソールＣが生成した診断提供用の放射線画像ｐ等を保存する画像サーバー１０２と、ビューアーやプリンター等の周辺機器１０３とが通信ネットワークＮを介してデータ通信可能に接続されて構成されている。
【００２５】
また、通信ネットワークＮには、ＰＡＣＳ（Picture Archiving and Communication System：画像管理システム）１０４や図示されていない他のコンソールＣ等が接続されていてもよい。また、図示を省略するが、通信ネットワークＮにＨＩＳ（Hospital Information System；病院情報システム）が接続されていてもよく、また、ＨＩＳがＲＩＳに別のネットワークを介して接続されていてもよい。
【００２６】
［撮影台］
図２は立位の患者撮影用の撮影台５１Ａの斜視図である。
図示のように、撮影台５１Ａは、底板５１１と、当該底板５１１から立設された支柱５１２と、支柱５１２の上端部に設けられた放射線画像撮影装置１を格納保持する箱状の保持体５１３とを備えている。
なお、この図２では、放射線画像撮影装置１を垂直に立設させた状態で保持する立位の患者撮影用の撮影台５１Ａを図示しているが、底板５１１を外して支柱５１２と保持体５１３とを水平に倒した状態とすることにより、臥位の患者撮影用の撮影台５１Ｂとなる。従って、臥位の患者撮影用の撮影台５１Ｂについては説明を省略する。
【００２７】
撮影台５１Ａの保持体５１３には、スリット状の開口部が形成されており、当該開口部に放射線画像撮影装置１を挿入した状態で放射線画像撮影装置１を垂直状態に保持することができる。保持体５１３は、放射線の吸収率の低い材料から形成されている。
さらに、保持体５１３には、ＢＴモジュール２９３（後述）と無線通信を行うための通信端末５１４が装備されている。
この通信端末５１４には、放射線画像撮影装置１の無線モジュール２９１のBluetooth（登録商標）に準拠した無線通信回路が組み込まれている。
また、通信端末５１４は、保持体５１３の適正な保持位置に放射線画像撮影装置１が保持された状態において、当該放射線画像撮影装置１内の無線モジュール２９１に近接するように保持体５１３に配置されている。
【００２８】
通信端末５１４は、図３のブロックに示すように、Bluetoothに準拠した無線通信回路が組み込まれたＢＴモジュール５１５と、ＢＴモジュール５１５による無線通信用のアンテナ５１９と、所定の情報が記憶されたメモリ５１７と、ＢＴモジュール５１５を通じて放射線画像撮影装置１との通信制御を行う通信マイコン５１６と、一次電池又は二次電池からなるバッテリー５１８ａを電源として各部に電力を供給する電源回路５１８とを備えている。
【００２９】
ＢＴモジュール５１５は、近距離の範囲内（例えば10cm〜10m程度）で放射線画像撮影装置１のＢＴモジュール２９３との無線通信が可能である。
【００３０】
通信マイコン５１６は、ＢＴモジュール５１５を通じて、メモリ５１７に記憶された情報を放射線画像撮影装置１のＢＴモジュール２９３に送信する。
ＢＴモジュール２９３に送信される、メモリ５１７に記憶された情報は、放射線画像撮影装置１の無線モジュール２９１のＷｉｆｉモジュール２９２（後述）が放射線画像撮影システム１００のアクセスポイント５４との間で無線ＬＡＮによる通信を確立するための通信情報（アクセスポイント５４の識別子であるＳＳＩＤ(Service Set Identifier)）と、通信端末５１４が装備された撮影台５１Ａに関する撮影台情報等である。撮影台情報とは、例えば、撮影台５１Ａが立位の患者撮影用か臥位の患者撮影用か、撮影室Ｒ１内における配置、撮影室Ｒ１内に複数の撮影台がある場合には何番目の撮影台であるか等の情報である。
また、放射線画像撮影システム１００内の全ての撮影台５１について識別子を設定している場合には当該識別子を示す情報を撮影台情報として送信しても良い。
【００３１】
このように、放射線画像撮影装置１は、撮影台５１Ａの通信端末５１４から通信情報を取得することにより、アクセスポイント５４を通じてコンソールＣ等の外部処理装置との無線ＬＡＮによる通信を行うことができるようになっている。
また、放射線画像撮影装置１は、撮影台５１Ａの通信端末５１４から撮影台情報を取得することにより、いずれの撮影台５１に放射線画像撮影装置１が保持されているかをコンソールＣ側に認識させることができるようになっている。
【００３２】
［放射線画像撮影装置］
図４は、放射線画像撮影装置１の外観を示す斜視図であり、図５は、放射線画像撮影装置１の等価回路を表すブロック図である。放射線画像撮影装置１は、図示しないセンサー基板上に二次元状（マトリクス状）に配列された複数の放射線検出素子７（図５参照）が筐体２（図４参照）内に収納されて形成されている。
【００３３】
そして、図４に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（後述する図５参照）が設けられている。
【００３４】
図５に示すように、各放射線検出素子７には、バイアス線９が接続されており、バイアス線９やそれらの結線１０を介してバイアス電源１４から逆バイアス電圧が印加される。また、各放射線検出素子７には、スイッチ素子としてＴＦＴ（Thin Film Transistor）８が接続されており、ＴＦＴ８は信号線６に接続されている。そして、各放射線検出素子７では、照射された放射線の線量に応じた電荷が各放射線検出素子７内でそれぞれ発生するようになっている。
【００３５】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００３６】
各信号線６は、読み出しＩＣ１６内の各読み出し回路１７にそれぞれ接続されている。そして、信号値Ｄの読み出し処理の際には、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。
【００３７】
相関二重サンプリング回路（図５では「ＣＤＳ」と記載されている。）１９は、増幅回路１８から出力された電圧値をアナログ値の信号値Ｄとして読み出して出力し、出力された信号値Ｄはアナログマルチプレクサー２１を介してＡ／Ｄ変換器２０に順次送信され、Ａ／Ｄ変換器２０でデジタル値の信号値Ｄに順次変換されて記憶手段２３に順次保存されるようになっている。
【００３８】
制御手段２２は、図示しないＣＰＵ（Central Processing Unit）やＲＯＭ（Read OnlyMemory）、ＲＡＭ（Random Access Memory）、入出力インターフェース等がバスに接続されたコンピューターや、ＦＰＧＡ（Field Programmable Gate Array）等で構成されている。
また、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や、リチウムイオンキャパシター等で構成される内蔵電源２４が接続されており、また、前述したアンテナ２９やコネクター２７を介して外部と無線方式や有線方式で通信を行うための通信部３０が接続されている。
これの構成の詳細については後述する。
【００３９】
また、制御手段２２は、上記のように、バイアス電源１４から各放射線検出素子７への逆バイアス電圧の印加を制御したり、走査駆動手段１５や読み出し回路１７等の動作を制御して、各放射線検出素子７からの信号値Ｄの読み出し処理を行わせ、読み出された信号値Ｄを記憶手段２３に保存したり、或いは、保存された信号値Ｄを、通信部３０を介して外部に転送する等の制御を行うようになっている。
【００４０】
［制御手段］
上記制御手段２２について詳細に説明する。図６は、制御手段２２の回路構成を示すブロック図である。
図示のように、制御手段２２は、電源マイコン２２１、通信マイコン２２２、ＴＦＴ制御部２２３、画像処理部２２４、メモリ２２８、各種電源２２９とを備えている。また、制御手段２２の通信マイコン２２２には、加速度センサー２２５と、前述した通信部３０を構成する無線モジュール２９１及びＬＡＮコントローラー２２７が接続されている。
また、図３において、ＴＦＴパネル４０とは、センサーパネルＳＰ、読み出しＩＣ１６及び走査駆動手段１５を含む構成を示す。
【００４１】
上記各種電源２２９は、バッテリー２４と接続され、電源マイコン２２１、通信マイコン２２２、ＴＦＴ制御部２２３、画像処理部２２４、無線モジュール２９１、ＬＡＮコントローラー２２７、メモリ２２８、加速度センサー２２５及びＴＦＴパネル４０に対してそれぞれ適正な電圧に調整して個別に駆動電源を供給する電源回路である。
【００４２】
電源マイコン２２１は電源制御部として機能し、各種電源２２９を制御して、通信マイコン２２２、ＴＦＴ制御部２２３、画像処理部２２４、無線モジュール２９１、ＬＡＮコントローラー２２７、メモリ２２８、加速度センサー２２５及びＴＦＴパネル４０に対する電源の供給及び切断を実行する。
【００４３】
電源マイコン２２１には、放射線画像撮影装置１の筐体２の外面に設けられた電源スイッチ２５が接続されており、撮影者のボタン操作により、主電源の入力指示と切断指示の指令が入力される。
【００４４】
また、電源マイコン２２１は、上記通信マイコン２２２、ＴＦＴ制御部２２３、画像処理部２２４、無線モジュール２９１、ＬＡＮコントローラー２２７、メモリ２２８、加速度センサー２２５及びＴＦＴパネル４０の全てに対して電源供給状態とする覚醒モードと、上記各部の全て（電源マイコン２２１を除く）に対して電源切断状態とする停止モードと、上記各部の中の一部の構成（例えば、ＴＦＴ制御部２２３、画像処理部２２４、無線モジュール２９１、メモリ２２８及びＴＦＴパネル４０）について電源切断状態とするスリープモードの三つのモードを適宜選択する。
【００４５】
電源マイコン２２１は、電源スイッチ２５からの電源の切断指示により放射線画像撮影装置１を停止モードとし、電源スイッチ２５からの電源の入力指示により放射線画像撮影装置１を覚醒モードとする。
また、電源マイコン２２１は、覚醒モードにある放射線画像撮影装置１に対して、放射線画像の撮影が一定時間行われないと、スリープモードに移行する。
【００４６】
無線モジュール２９１は、いわゆる無線ＬＡＮ（Local Area Network）アダプターとして機能する回路が組み込まれた第一の無線通信部としてのＷｉｆｉモジュール２９２と、近距離無線通信規格の一つであるBluetoothに準拠した無線通信回路が組み込まれた第二の無線通信部としてのＢＴモジュール２９３とを備えており、Ｗｉｆｉモジュール２９２のホストインターフェイスと、ＢＴモジュール２９３のホストインターフェイスとを選択して、無線ＬＡＮによる通信状態とBluetoothによる通信状態とを切り替えることができるようになっている。
【００４７】
Ｗｉｆｉモジュール２９２は、放射線画像撮影装置１の使用環境下に設置された無線ＬＡＮ用のアクセスポイント５４と無線通信を行い、コンソールＣを含む外部のネットワークとの間で画像データ及び各種の指令の送受信を行う。
【００４８】
ＢＴモジュール２９３は、放射線画像撮影装置１が装着された撮影台５１の通信端末５１４との間でBluetoothによる通信を行い、通信端末５１４から前述した通信情報や撮影台情報の受信を行う。
【００４９】
また、Bluetoothにより通信可能な距離10m程度だが、通信電力を低減することでより短くすることが可能である。放射線画像撮影装置１が撮影台５１に装着されず、近くに置かれた状態で誤って通信が行われることがないように、通信可能な距離はより短くなる様に調整してもよい。また、これにより、電力消費量も低減することができる。なお、放射線画像撮影装置１のＢＴモジュール２９３に対する通信電力の調節により通信可能な距離をより短くする場合には、撮影台５１の通信端末５１４におけるＢＴモジュール５１５についても同様に、ＢＴモジュール５１５に対する通信電力の調節により通信可能な距離同程度に短くすることが望ましい。
【００５０】
なお、第二の無線通信部としては、Bluetoothに限らず、接続が容易で無線ＬＡＮよりも近距離でのみ情報通信が可能な、ZigBee、NFC(Near Field Communication)、RFID(Radio Frequency IDentification)等の他の近距離無線通信方式を使用しても良い。
【００５１】
無線モジュール２９１における無線ＬＡＮによる無線通信状態とBluetoothによる無線通信状態とは、通信マイコン２２２により切り替えが制御される。
なお、アンテナ２９は、Ｗｉｆｉモジュール２９２とＢＴモジュール２９３とがいずれも共通した2.4GHzの周波数帯で無線通信を行うので、共用することができる。
【００５２】
ＬＡＮコントローラー２２７は、有線ＬＡＮアダプターとして機能する回路が組み込まれた素子であり、ＬＡＮケーブルが接続され、当該ＬＡＮケーブルを通じてコンソールＣ等の外部のネットワークとの間で画像データや各種の指令の送受信を行う。
【００５３】
加速度センサー２２５は、各々が互いに直交する三方向、例えば、センサー基板平面に垂直な方向（Ｚ方向とする）とセンサー基板平面に平行な二方向（Ｘ方向とＹ方向とする）についての加速度を検出する検出素子と、検出素子の出力を増幅するアンプと、増幅された検出出力をデジタル信号に変換するＡ／Ｄ変換部等を備えている。
この加速度センサー２２５は、上記三方向の検出加速度から、放射線画像撮影装置１の傾き、振動、動き、外部からの衝撃等を検出することができる。
【００５４】
ＴＦＴ制御部２２３は、ＴＦＴパネル４０の挙動を制御するためのデバイスである。
例えば、放射線画像の撮影時には、ＴＦＴ制御部２２３は、通信マイコン２２２からの指令を受けて、走査線５を介して各ＴＦＴ８にオフ電圧を印加し、電荷をＴＦＴパネル４０の各放射線検出素子７内に蓄積させる。そして、放射線発生装置５２から放射線が照射された後に、走査線５を介して各ＴＦＴ８にオン電圧を印加し、ＴＦＴパネル４０の各放射線検出素子７内に蓄積された電荷を順番に信号線６に放出させる。そして、読み出しＩＣ１６から得られたデジタル値の信号値からなる画像データをメモリ２２８に格納する。
【００５５】
画像処理部２２４は、放射線画像撮影によって得られた画像データに対して所定の画像処理を行うデバイスである。例えば、画像処理部２２４は、画像データに対して間引き処理などを実行する。
【００５６】
通信マイコン２２２は、制御手段２２のほぼ全体構成を制御する主制御部として機能する。
例えば、通信マイコン２２２は、無線モジュール２９１による無線ＬＡＮ通信の確立制御、ＴＦＴ制御部２２３による放射線画像撮影制御、画像処理部２２４による画像データに対する画像処理、画像データのコンソールＣへの送信制御、加速度センサー２２５による落下等による衝撃の検出及び記録等を実行する。
【００５７】
［通信の確立制御］
上記通信マイコン２２２は、衝撃を検出するための加速度センサー２２５を活用して放射線画像撮影装置１が撮影台５１に装着されたことを検出し、当該装着時に自動的に放射線画像撮影装置１と外部処理装置であるコンソールＣとの間で無線ＬＡＮ通信を確立する無線通信の確立制御を行う。
即ち、放射線画像撮影装置１が受ける衝撃を検出するための加速度センサー２２５を、放射線画像撮影装置１の撮影台５１への装着を検出する装着検出部としても利用している。
以下、この無線ＬＡＮ通信の確立制御について図７のフローチャートに基づいて説明する。
【００５８】
前述したように、放射線画像撮影装置１は、スリープモードにおいて、無線モジュール２９１のＷｉｆｉモジュール２９２及びＢＴモジュール２９３は、いずれも電源を供給されていない状態にある。
そして、スリープモードにおいて、制御手段２２の通信マイコン２２２は、加速度センサー２２５のＸ方向、Ｙ方向、Ｚ方向の検出出力を監視している。
即ち、加速度センサー２２５のＸ方向、Ｙ方向、Ｚ方向の検出加速度のいずれもが、0又は加速度が生じていないとみなせる程度の微小値以下であるか否かを判定する（ステップＳ１）。なお、静止状態と判定するための閾値を設定しても良い。
【００５９】
そして、加速度センサー２２５のＸ方向、Ｙ方向、Ｚ方向のいずれか一つでも検出加速度が生じていると判定した場合には（ステップＳ１：ＮＯ）、放射線画像撮影装置１が運搬されている状態又は撮影台５１に対して装着動作を行っている状態とみなして、加速度センサー２２５の加速度検出を繰り返し実行する。
【００６０】
一方、加速度センサー２２５の検出出力が、Ｘ方向、Ｙ方向、Ｚ方向の全てについて加速度が生じていないものと判定した場合には（ステップＳ１：ＹＥＳ）、放射線画像撮影装置１が撮影台５１に装着され、静止した状態となったものとみなして、通信マイコン２２２は、電源マイコン２２１を通じてＢＴモジュール２９３に電源を供給する（ステップＳ３）。これにより、放射線画像撮影装置１はＢＴモジュール２９３が起動して、撮影台５１の通信端末５１４に対して、Bluetoothによる無線通信が可能な状態となる。
【００６１】
放射線画像撮影装置１が撮影台５１に適正に装着されている場合には、ＢＴモジュール２９３とのBluetoothによる無線通信が可能な状態となるので、ＢＴモジュール２９３は、通信端末５１４の通信マイコン５１６から通信情報と撮影台情報とを受信することができる。
従って、放射線画像撮影装置１の通信マイコン２２２は、ＢＴモジュール２９３が起動してから、一定期間、通信マイコン５１６からの通信情報及び撮影台情報の受信の有無の判定を実行する（ステップＳ５）。
【００６２】
そして、ＢＴモジュール２９３の起動から一定期間経過しても、通信マイコン５１６からの通信情報及び撮影台情報の受信がない場合には（ステップＳ５：ＮＯ）、通信マイコン２２２は、放射線画像撮影装置１が運搬や移動が行われていない状態であって撮影台５１にも装着されていない状態（例えば、撮影台５１から離れた場所に置かれた状態）にあるものと判断をあらため（ステップＳ７）、ＢＴモジュール２９３への電源供給を切断する（ステップＳ９）。
さらに、通信マイコン２２２は、加速度センサー２２５のＸ方向、Ｙ方向、Ｚ方向の検出加速度のいずれか一つでも加速度が生じている否かを判定する（ステップＳ１１）。
そして、加速度センサー２２５のＸ方向、Ｙ方向、Ｚ方向の全てが加速度を生じていない場合（静止状態の場合）には（ステップＳ１１：ＮＯ）、放射線画像撮影装置１は撮影台５１以外のどこかに置かれたままであると判断して、加速度が生じるまで加速度センサー２２５の検出を繰り返す。
一方、加速度センサー２２５の検出出力が、Ｘ方向、Ｙ方向、Ｚ方向のいずれかについて加速度が生じたものと判定した場合には（ステップＳ１１：ＹＥＳ）、ステップＳ１に処理を戻して、再び、加速度センサー２２５の検出出力が、Ｘ方向、Ｙ方向、Ｚ方向の全てについて加速度が生じていない状態となったか否かを判定する。
【００６３】
また、前述したステップＳ５において、ＢＴモジュール２９３の起動から一定期間内に、通信マイコン５１６からの通信情報（アクセスポイント５４の識別子であるＳＳＩＤ）及び撮影台情報の受信が得られた場合には（ステップＳ５：ＹＥＳ）、通信マイコン２２２は、受信した通信情報及び撮影台情報をメモリ２２８内に格納する（ステップＳ１３）。
【００６４】
そして、通信マイコン２２２は、電源マイコン２２１を通じてＷｉｆｉモジュール２９２に電源を供給する（ステップＳ１５）。なお、この場合、ＢＴモジュール２９３への電源供給は切断してしまっても良い。
さらに、通信マイコン２２２は、アクセスポイント５４に対して、通信情報（アクセスポイント５４の識別子であるＳＳＩＤ）を送信して（ステップＳ１７）、アクセスポイント５４による認証を受けて、無線ＬＡＮの通信状態を確立し、無線ＬＡＮによる通信を可能な状態とする（ステップＳ１９）。
【００６５】
その後、通信マイコン２２２は、アクセスポイント５４を通じてコンソールＣに対して、撮影台情報を転送する（ステップＳ２１）。
これにより、コンソールＣ側では、放射線画像撮影装置１がいずれの撮影台５１に装着されたか、立位の患者撮影用の撮影台５１Ａと臥位の患者撮影用の撮影台５１Ｂのいずれに装着されたか、等を判別することが可能となり、放射線画像撮影の際には、いずれの放射線発生装置５２から放射線の照射を行えば良いか等を識別することが可能となる。
また、放射線画像撮影装置１の無線ＬＡＮによる通信が可能となるので、コンソールＣ側からの放射線画像撮影の指令を入力したり、放射線画像撮影装置１から画像データをコンソールＣに転送することなどが可能な状態となる。
【００６６】
［発明の実施形態の技術的効果］
上記放射線画像撮影システム１００にあっては、放射線画像撮影装置１が撮影台５１への装着を検出する加速度センサー２２５を備えているので、加速度センサー２２５の検出加速度が0又は0に近い値（放射線画像撮影装置１の静止状態）を検出することにより、放射線画像撮影装置１が撮影台５１に装着されたことを検出することが可能となる。
このように、放射線画像撮影装置１の撮影台５１への装着を加速度センサー２２５で検出するので、可動部を有するマイクロスイッチで検出する場合と異なり、破損や摩耗による故障が生じにくく、安定して検出を行うことが可能となる。
また、Ｗｉｆｉモジュール２９２を備えているので、放射線画像撮影装置１が撮影台５１に装着されたことを放射線画像撮影装置１の外部に知らしめることも可能である。
また、放射線画像撮影装置１の制御手段２２では、加速度センサー２２５の検出加速度から撮影台５１への装着が検出された後に、ＢＴモジュール２９３への電源供給を開始しているので、撮影のために放射線画像撮影装置１が撮影台５１に装着されるまでは、ＢＴモジュール２９３による電力消費を抑えることができ、省電力化を実現し、さらに、電源への充電や交換を行うことなく、長時間使用を行うことが可能となる。
【００６７】
また、放射線画像撮影装置１は、無線ＬＡＮよりも近距離の無線通信を行うＢＴモジュール２９３を備え、撮影台５１の通信端末５１４とBluetoothによる無線通信によって、当該通信端末５１４から撮影台５１に記憶された撮影台情報を取得している。このため、取得した撮影台情報をＷｉｆｉモジュール２９２により外部処理装置であるコンソールＣに転送することにより、放射線画像撮影装置１がいずれの撮影台に装着されたか、撮影台の種別等の情報をコンソールＣ側で認識することが可能となり、放射線画像撮影における放射線画像撮影システム１００の動作制御に用いることができ、撮影技術者による人為的な作業を低減して、撮影作業負担の軽減を図ることが可能となる。
【００６８】
また、放射線画像撮影装置１は、撮影台５１の通信端末５１４とBluetoothによる無線通信によって、無線ＬＡＮによる通信を確立するための通信情報を取得している。このため、通信確立のための設定入力作業を行うことなく、撮影台５１への放射線画像撮影装置１の装着により自動的に通信状態を確立することができ、撮影技術者による人為的な作業を低減して、撮影作業負担の軽減を図ることが可能となる。
【００６９】
また、放射線画像撮影装置１の制御手段２２では、加速度センサー２２５の検出加速度から撮影台５１への装着を検出し、その後に、Ｗｉｆｉモジュール２９２への電源供給を開始しているので、撮影のために放射線画像撮影装置１が撮影台に装着されるまでは、Ｗｉｆｉモジュール２９２による電力消費を抑えることができ、省電力化を実現する。また、省電力化により、電源への充電や交換を行うことなく、放射線画像撮影装置１を長時間使用することが可能となる。
【００７０】
また、図７におけるステップＳ１及びＳ５に示すように、加速度センサー２２５による撮影台５１への装着の検出後に、撮影台５１の通信端末５１４からBluetoothの無線通信の応答が得られない場合に、再び、加速度センサー２２５による撮影台５１への装着の検出をやり直すので、より厳格に撮影台５１への装着を判定することができ、放射線画像撮影装置１の装着をより精度良く検出することが可能となる。
【００７１】
また、放射線画像撮影装置１では、装着検出部として加速度センサー２２５を使用しているので、放射線画像撮影装置１に加わる衝撃の検出を行うために搭載された既存の加速度センサー２２５を利用することができ、部品点数の低減によりコスト低減や装置の小型化を図ることが可能となる。
また、加速度センサー２２５を使用するので、撮影台５１側に検出を行うための構成や特別な構造を設ける必要がなく、簡易な構成によって放射線画像撮影装置１の撮影台５１への装着を検出することが可能である。
【００７２】
［その他］
なお、装着検出部は、加速度センサー２２５に限らず、撮影台５１の装着が検出できる他の検出手段を使用しても良い。
例えば、撮影台５１の所定位置への放射線画像撮影装置１の配置を検出できる検出手段、具体的には、撮影台５１の所定位置に磁石を設け、放射線画像撮影装置１における撮影台５１への適正な装着時に磁石に近接する位置に設けられたホール素子を装着検出部としてもよい。
【００７３】
また、放射線画像撮影装置１では、第一の無線通信部として無線ＬＡＮに準拠したＷｉｆｉモジュール２９２、第二の無線通信部としてBluetoothに準拠したＢＴモジュール２９３を備える場合を例示しているが、第二の無線通信部が第一の無線通信部に比べて近距離範囲の無線であって省電力に適した方式であれば、いずれも他の無線方式を採用してもよい。
また、第一の無線通信部も無線ＬＡＮに限らず、第二の無線通信部に比べて遠距離に適した他の無線方式を採用しても良い。
【００７４】
また、放射線画像撮影装置１の撮影台５１への装着を加速度センサー２２５に検出される三方向の加速度で判定を行っているが、さらに、加速度センサー２２５によって検出される放射線画像撮影装置１の向き（傾斜角度）を上記判定に加えてもよい。
例えば、撮影台５１における装着時の放射線画像撮影装置１の向きが一定の向きに決まっているような場合には、検出される向きが適正か否かも装着の判定に加えることが可能である。
また、放射線画像撮影装置１からコンソールＣに送信する情報として、検出された放射線画像撮影装置１の向きも加えてもよい。
【００７５】
［放射線画像撮影システムの他の例］
無線通信を行うために、第一の無線通信部（Ｗｉｆｉモジュール２９２）とこれよりも近距離の無線通信に適した第二の無線通信部（ＢＴモジュール２９３）とを備える可搬型の放射線画像撮影装置１にあっては、撮影台５１に装着しない状態で、外部処理装置であるコンソールＣとの通信を行わない状態での放射線画像撮影を行うことが可能である。
この場合、放射線画像撮影により取得した画像データは、外部に転送しないで、メモリ２２８内に蓄積される（以下、このような撮影モードを単独撮影モードという）。
これにより、可搬性を生かしてより自由度の高い撮影を行うことが可能であるが、放射線画像撮影装置１は、取得した画像データの画像を表示する手段を有していないので、撮影した画像の確認を行うことができないという問題がある。
【００７６】
従って、コンソールＣに替えて、画像表示機能と第一の無線通信部及び第二の無線通信部の無線方式に準拠した二つの無線通信部を有する携帯端末を使用し、当該携帯端末と放射線画像撮影装置１とにより放射線画像撮影システムを構成することが望ましい。
携帯端末としては、上記要件を具備するものであれば限定をしないが、例えば、いわゆるスマートフォンやタブレット端末等を使用することができる。これらは、一般的に、無線ＬＡＮの無線通信モジュールとBluetoothの無線通信モジュールとを搭載しているので、放射線画像撮影装置１との無線通信を確立することができる。そして、携帯端末に放射線画像撮影装置１からの画像データを受信して表示するためのアプリケーションをインストールすることにより、放射線画像撮影装置１が撮影した画像を携帯端末で表示して確認することが可能である。
【００７７】
携帯端末及び放射線画像撮影装置１は、いずれも可搬性が高く、充電式又は交換式のバッテリーを電源として使用するので、データ送信には、電力消費の少ない近距離無線通信である第二の無線通信部を使用することが望ましい。
また、放射線画像撮影装置１の画像処理部２２４は、図８に示すように、画像データに対して間引き処理を行う間引き処理部２２４ａと、画像のエッジ強調フィルタ処理を行うエッジ強調処理部２２４ｂを備え、通信マイコン２２２の指令により、これらの処理部２２４ａ，２２４ｂの実行の有無を選択可能とする。
そして、放射線画像撮影装置１が単独撮影モードでの放射線画像撮影を実行する場合には、第二の無線通信部（ＢＴモジュール２９３）を選択し、Bluetoothにより、間引き処理部２２４ａによる間引き処理とエッジ強調処理部２２４ｂによるエッジ強調フィルタ処理を行った画像データを携帯端末に転送する。これにより、携帯端末に対するデータの転送量を低減することが可能となる。
携帯端末は、受信した処理済みの画像データに基づく画像を表示部にて表示する。
【００７８】
このような放射線画像撮影システムを構成することにより、放射線画像撮影装置１における単独撮影モードでの自由度の高い放射線画像撮影が可能となる。
さらに、撮影された放射線画像撮影装置を携帯端末で確認することができる。一般に、撮影時に行う画像の確認は、撮影範囲のポジショニング等を確認できれば良いので、画像データは間引き処理及びエッジ強調処理を施した画像データを表示できれば確認の目的を達成することができる。診断は、メモリ２２８に蓄積された間引き等が行われていない詳細な画像データを別の機会に無線又は有線の通信によりコンソールＣ等に転送して行うことができる。
また、撮影時に行う画像の確認の際には、携帯端末への転送データ容量を低減できるので、Bluetoothのような近距離無線通信を用いた場合でも短時間で送信して表示することが可能である。また、第二の無線通信部で画像データの転送を行うので、省電力化を図ることが可能である。
【００７９】
なお、単独撮影モードでは、撮影台５１を使用して撮影を行う前提ではないので、上記放射線画像撮影システムには、図６に示す放射線画像撮影装置１の構成から、例えば、装着検出部としての加速度センサー２２５と撮影台５１の装着時における通信の確立制御（図７の制御）を行う機能とを備えていない放射線画像撮影装置を使用してもよい。
【符号の説明】
【００８０】
１  放射線画像撮影装置
２２  制御手段
２２２  通信マイコン
２２３  ＴＦＴ制御部
２２４  画像処理部
２２５  加速度センサー（装着検出部）
２２７  ＬＡＮコントローラー
２２８  メモリ
２４  バッテリー
５１，５１Ａ，５１Ｂ  撮影台
５２  放射線発生装置
５３  無線アンテナ
５４  アクセスポイント
１００  放射線画像撮影システム
２９１  無線モジュール
２９２  Ｗｉｆｉモジュール（第一の無線通信部）
２９３  ＢＴモジュール（第二の無線通信部）
５１４  通信端末
５１５  ＢＴモジュール
５１６  通信マイコン
５１７  メモリ
５１８ａ  バッテリー
５１９  アンテナ
Ｃ  コンソール（外部処理装置）
Ｄ  画像データ
【図１】
2017225592.tif 000003
【図２】
2017225592.tif 000004
【図３】
2017225592.tif 000005
【図４】
2017225592.tif 000006
【図５】
2017225592.tif 000007
【図６】
2017225592.tif 000008
【図７】
2017225592.tif 000009
【図８】
2017225592.tif 000010